(57)【要約】      （修正有）【課題】従来型リング綴じ卓上カレンダーは、月表紙と三角形台紙と綴じ具の３部品を一体型に機械綴じするので、毎年度末には分別又は一体に廃棄される。もったいない。１年間限りで捨てられる広告物であり、少量製本は高単価、製本ミスは全てゴミとなる。ユーザー・スポンサー・製造者の三者が得する、新規のリーフベース装置が必要である。【解決手段】新規の台形型容器ベース及び、新規の紙群吊り用リングバインダーを製造し、そのベース頂上面に当バインダーを搭載した製品の、バインダー式卓上カレンダーを供することで、毎年のカレンダーは差し替え紙で刷新する。又、ベース体の斜面側壁の片面に物品出し入れ口を設けて筆箱に容器形成する。この容器は底蓋部品と上物部品を射出成型して組み立てる。更に、当ベース製品の壁面にスポンサー等の名入れ広告を掲載する。【選択図】図６
2011037251.tif 000002
【特許請求の範囲】
【請求項１】
複数の綴じ穴付きカレンダーリーフとその綴じ具であるリング開閉機構部及びこの開閉機構を取り付ける立体台形型ベース部の３部材で構成する卓上カレンダーであって、用紙群を吊れるスペース幅を備えた２本の契合環が開閉自在作用する装置のリング開閉機構を製造してこの台形ベースの頂上平面部位に固着した製品。ついては、用紙吊り部位を備えたリングを複数に持つ開閉機構であるバインダーの機構胴体部枠と同等サイズの頂上面枠を有する金属又は樹脂製台形型ベースの頂上面に載せて接合した、リーフベースの製造。
即ち、台形ベース頂上面と側壁面との角辺から迫り出して傾斜する姿勢の扇型リングを保持している開閉機構の用紙吊り下げスペース部位を持つバインダー／Ｈａｎｇ  Ｂｉｎｄｅｒを製造して該ベース頂上面に取り付けた、リーフベース／Ｆｉｌｅ  Ｈａｎｇｅｒの製造並びに、毎年の新旧の月表リーフを交換して刷新できるよう該リングの形状数に合致する綴じ穴を設けた詰め替え用カレンダー紙の孔付きカレンダーリーフを供する、開閉機構付き卓上カレンダーの製造。
【請求項２】
カレンダーリーフを支持している請求項１、記載のリング開閉機構付きリーフベース体に容器機能を設ける手段として、立体台形空洞型の傾斜状ベース側壁の片方面の中間壁部分を取り除いて物品の出し入れ口を設けるとともに、空洞の下部溝の左右口部分を囲い板で塞いでペンケース態様となる容器を形成する手法でリングファイルバインダー付きペンケース体にした、リーフベース容器の製造。この容器型リーフベースのリングには月表紙や各種シートを綴じて吊り下げる、容器内には文房具類を収納する、開閉機構付き容器型卓上カレンダー／Ｃａｌｅｎｄａｒ  Ｐｅｎ  Ｃａｓｅ／筆箱付き卓上カレンダーの製造。
【請求項３】
開閉機構部品と樹脂製ベース部品で構成されるリーフベースの台形状容器を射出成型機で製造する手段として、ベース容器を構成する底蓋部位とカシメ孔付き台形状本体部位の２種類の金型を製造して底部位と本体部位を個別に射出成形する。よって、この本体部分が請求項１、記載のバインダー付きリーフベースを形成する部材となる。更には、上記の２個の樹脂成型品を組み合わせる方法で容器形成して請求項２、記載の筆箱付き卓上カレンダーのリーフベース容器を製造。ついては、上記リーフベース部品の樹脂壁面に提供スポンサー企業商店名を刻印表示して供する、名入れカレンダーリーフベースの製造方法。
【発明の詳細な説明】
【技術分野】
【０００１】本発明は、卓上カレンダーに関するものである。
【背景技術】
【０００２】  従来のリング綴じ型の卓上カレンダー製造は、カレンダーリーフとこれを支持する立体三角形型ベース紙を１輪型リングまたはＷリング等のワイヤーリング綴じ材でまとめて機械綴じする。ついては、１年分の１３枚リーフが天頂部で一体型に綴じ製本されている。
よって、この卓上カレンダーは年度を終えると分別又は一体に廃棄される構造である。即ち、従来製品より良い機能や用途を持つ新規製品とその製造手段の提供が求められる。
【先行技術文献】
【特許文献】
【０００３】
【引用文献１】
特表平６−５０７５８２号公報
【引用文献２】
特開２００８−８９３号公報
【引用文献３】
特開２００８−１００３９０号公報
【発明の開示】
【発明が解決しょうとする課題】
【０００４】  前記したような従来のリング卓上カレンダーにあっては、次のような問題点がある。
〈１〉毎年度に卓上カレンダーの月表紙が捨てられるのは致し方ないが、その綴じ具と全体を支えている三角形ベースの厚紙までも廃棄されるのは、勿体ない。環境にも悪い。
〈２〉従来の卓上カレンダーの提供が無償または有償であっても、廃棄される綴じ具と厚紙の材料費の他に加工費や流通費用等のコスト負担がその都度毎年に加算されている。
〈３〉従来のカレンダー製造は、例年８月頃が最盛期であるが、祝日変更や印刷変更もしくは製本ミスが生じた場合に、リーフ交換できないので完成品を廃棄することになる。
〈４〉機械綴じのカレンダー製造は、少数量の製本単価が高く、製品の多様化も困難で、これを有用な広告用具とする場合に顧客ニーズで差別化するリーフ群の綴じが難しい。
〈５〉上記の課題解決方法を先行文献で調べると、特開２００８−８９３号の紙製リングの綴じ手段は一部有用であるが、リーフ交換できずに廃棄されるので解決手段にはならない。又、リーフ交換を求めて従来型のファイルバインダーを採用するにも問題がある。理由を示すと、特表平６−５０７５８２号の「バインダーを支持する装置」と称するバインダーは吊り部位の無い従来形の真円型リングなので、用紙群が吊り下がらず、紙孔部分が折れ曲がって跡形を生じ、めくった紙も反対側壁面に安着せずに跳ね上がる。
〈６〉机やカウンター上に散在する文具類と卓上カレンダーを一体化させる必要がある。
〈７〉ベースの堅牢化と製造単価削減を求める樹脂製一体型容器の製造で、台形状容器は射出成型機から金型の取り出しが困難であるから、有益な容器製造方法が課題となる。
【課題を解決するための手段】
【０００５】  上記の課題を解決するため、本発明の開閉機構付き卓上カレンダーでは、台形型のリーフベースを製造する。更に、この台形天頂部に複数の月表紙や広告を綴じて吊り下げれる程のスペース幅を持つ２本の契合環が自在に開閉するリングを形成し、そこに綴じたリーフが垂直に吊り下がるよう、閉姿勢にあるリング形状が開閉機構胴体部の背幅より左右方向に迫り出て傾斜する形状の吊り幅付きリングを持つ開閉機構を製造して設置する。即、リーフがベース壁側に自然に落ちて安定密着する開閉機構付きリーフベースを製造する。又、この台形型ベース製造材を金属又は樹脂製にすることで堅牢化と耐久性を確保する。
更に、卓上カレンダーのリーフベースの空洞の下部の溝口部の左右を塞ぐ囲い板を設けて容器化する。ついては、台形の下部が容器で上部左右が物品の出し入れ口となるので、側壁斜面の片面を器部の高さに合わせて中間壁部分を省く構造で開口部分を拡張する。
樹脂での射出成形では、容器の底部位と本体部位を個別に作り、組み合わせ製造する。
【発明の効果】
【０００６】  本発明の綴じ具製品Ｈａｎｇ  Ｂｉｎｄｅｒを用いた開閉機構付き卓上カレンダーのファイルハンガーは、以上に説明した形態で実施され、以下に記載される効果を得られる。
〈１〉本発明で、従来型卓上カレンダーの綴じ具と全体を支持する三角形ベース厚紙は製造されなくなり、課題であった使い捨てで勿体なく環境に良くないことが克服できる。
〈２〉カレンダーの提供方法が有償または無償でも、毎年に廃棄される従来の三部品一体型の製造コストは軽減され、毎年度のリーフ供給だけで卓上カレンダーを刷新できる。
〈３〉カレンダーの製品完成後に、印刷変更や内容物変更もしくは印刷や製本の丁合いにミスや間違いを発見しても、簡単にリーフ交換できるので完成品の廃棄を回避できる。
〈４〉綴じ具のリングを随意に開閉できるので、多種多様で低廉な完成品カレンダーを少量でも提供できる。即ち、本品の提供者又は愛用者からの少量受注製品も製造できる。
〈５〉カレンダーリーフやシート類を差し替えできるので、年度末にはベースだけでなく使用済みリーフをも廃棄せずにメモや家計簿等のデータを永年に取り重ね保存できる。
〈６〉当リーフベースを企業商店が顧客に一度だけ提供すると、年末に翌年度暦リーフと広告付きリーフを増設提供することが可能で、長い顧客関係を維持することができる。
〈７〉ユーザーがこの開閉機構付き卓上カレンダーを一度だけ購入すると、パソコンを用いて年末に翌年の新しい月表紙面に好みの写真等を掲載し、プリントアウトしてパンチで綴じ穴を設けると、当ベースによるオリジナル卓上カレンダーを作ることができる。
〈８〉更に、立体台形状のカレンダーリーフベースの空洞口の下部分の左右を塞ぐ構造にすることによって容器が形成されるので収納具・筆箱・ペンケースとして使用できる。
〈９〉樹脂製容器製造で、底部位の無い本体部分の射出成形製品は、重ね積みができる。
【発明を実施するための形態】
【０００７】  以下図面を参照しながら本発明の好適な実施の形態を詳細に説明する。
【実施例】
【０００８】〈１〉全体の構成
本発明の開閉機構付き容器型卓上カレンダー（図６）を構成している台形状リーフベースの側壁２ａ上の開閉機構３ｂは、該ベース頂上平面部の位置に取り付けた（図５）リング開閉機構の胴体カバー４ｃから左右に迫り出し傾斜させた吊り幅スペース８ｇを持つ２本の契合環７ｆで構成されている（図２）。即ち、この２本の契合環が自在に離合することで開閉するリング体を形成して綴じ具となり、複数のリングの数とその間隔に適合する孔の綴じ穴付きカレンダーリーフを上記リングに通し閉じて吊った閉姿勢の扇型リング（図３）及び、このリーフベースに囲い板１１ｍを設けた容器付き卓上カレンダーベース（図４）を特徴とする。ついては、立体台形状の樹脂製ベースの左右空洞口の下部分を囲い壁で塞いで容器を形成し、台形型空洞状で傾斜しているベース側壁２ａの片面の中間の側壁部分を取り除いて文具類の出し入れ口１３ｗを設けた、Ｃａｌｅｎｄａｒ  Ｐｅｎ  Ｃａｓｅ／筆箱付きカレンダーを製造した、開閉機構付きカレンダーリーフベース容器（図１）を特徴とする。【０００９】〈２〉リング開閉機構
リング開閉機構は、一般にリングファイルバインダーと称される文具であり、システム手帳やルーズリーフに用いてシートで支持され覆われている。その構造は、公知である。
ファイルバインダーとは、複数箇所に孔を持つ用紙群を保持するためのリング機構であり、用紙を出し入れする場合はリングを断割／分離した隙間から紙を挿入してから紙孔に通し、用紙が分散しないよう結束するために再びリングの係部で合体する機構である。
該バインダーは、契合環と跳ね板を固着した２個の座金を合わせ噛ませて上から金属カバー板の蓋で包み掴んだ構造である。さらに、ＪＩＳ規格品をはじめ全ての閉姿勢にあるリング形状は真円型、角型、だ円型、Ｄ型、変形Ｄ型にあって、ファイルを覆い包む目的でカバーシートに固着させ製品提供されている。よって、バインダーの閉リングを金属蓋胴体の背幅より左右に迫り出す必要性やそれを吊り具用とした製品は過去に存在しない。【００１０】〈３〉紙吊り用具／Ｈａｎｇ  Ｂｉｎｄｅｒ／吊り下げ用リング開閉機構の構造
本発明の吊り下げ用リング開閉機構は、２面の側壁２ａからなる台形ベースの頂上平面部に搭載したリング開閉機構３ｂがカシメ等で固着された状態で机上にデスクトップされてそびえ立ち、ベース上の機構のリング開口部が上に向いて左右に開閉する構造である。
リング開閉機構の内部は、複数の契合環７ｆを固着させた細長い２枚の跳ね板９ｈを噛み合わせて並行配置し、これらが空中分解しないように外壁部を胴体にした鋼板のカバー蓋４ｃで包み込む構造でもって機構全体を保持形成している。さらに詳細説明すると、閉姿勢でリング状となる２本の契合環７ｆは、上記カバー鋼板の背幅より左右に傾斜しながら迫り出して上方向に突出させ、その傾斜して迫り出たスペース８ｇは後述するカレンダー紙を吊り下げて安定密着させる手段のスペース幅員に確保した用紙群の厚さと等しい。又、閉じリングを片手で容易に開けれるよう、てこのレバー６ｅを設けるのが好ましい。
ついては、契合環７ｆの接合で吊り下げ部位８ｇを持つ形状のリング５ｄが形成されるので、本発明のリング開閉機構によるリングの開姿勢（図２）および閉姿勢（図３）を示す。【００１１】〈４〉リーフベース及びリーフベース容器の構造
本発明の紙吊り用具／リング開閉機構を支持する立体台形型のベース部品製造材は、天頂部の開閉機構とリーフ群の荷重に耐え、且つ、製品の耐用年数も得る目的から金属又は樹脂製が好適である。この台形リーフベース製品は、卓上用のカレンダーリーフを狭い？デスク上に吊り立つ状態を保たせる道具であるから、ベース本体が転倒しない程度までに底面部の面積を可能な限り小さくする。又、ベースの頂上平面部の台座面の幅員の数値とそこに設置する開閉機構部材の胴体部にある鋼板カバー蓋４ｃの背幅数値は同等にする。
又、立体台形状の卓上カレンダーを収納容器／筆箱／ペンケースとして使用できる具に形成する手段では、ベース空洞口の下部分の左右を囲い板１１ｍで塞ぐ構造にすると器が形成されてリーフベース容器となる。よって、台形の下部が容器で上部左右に空いた口が物品の出し入れ口となるので、ベース壁斜面の片面を下部容器の高さに合わせて左右の開口部に至る迄の中間部分を取り除くと、物入れ用具として便利で大きな開口部を得られる。開口部の上の軒板１２ｎ部位を可能な限り下げると段差によるリーフの湾曲を阻止できる。
また、２種類の射出成型品を組む容器製造法で、底部分を着脱式にすると複数の台形本体部分を重ねて梱包することができるので、生産・配送作業での積荷容量を縮小できる。【００１２】〈５〉リング開閉機構と台形型リーフベース容器の接合
前述の紙吊り用具／開閉機構と立体台形型リーフベース容器を合体すると、用紙群を吊れるリングを持つ開閉機構付きリーフベース容器（図１）が製造できる。上記２体を固着する部材はカシメではなく＋ネジで接合すると将来の分別資源回収や環境対策に好ましい。
本発明は、登録商標Ｈａｎｇ  Ｂｉｎｄｅｒと命名した吊り部を持つ新規型バインダー３ｂを製造して上記リーフベース容器の頂上面に設ける。よって、この合体製品を文具である登録商標Ｃａｌｅｎｄａｒ  Ｐｅｎ  Ｃａｓｅと命名して卓上リーフベースを提供する。【００１３】〈６〉新規バインダー付きリーフベースによるカレンダー製造
上記の紙吊り用リングを持つ開閉機構付きリーフベースをファイルハンガーと称し、これに容器部を持たせたベースをカレンダーペンケースと呼称する。ついては、このリーフベース製品を汎用綴じ具に供することで、卓上カレンダーを構成する新年度版暦のリーフ群に個々の企業商店団体等又は国や地域別のオリジナル月表紙面を挿入できるので、低廉で少量多品種の商品提供要求課題に対応できる製品の卓上カレンダー製造が可能になる。
本発明の吊り下げ用契合環は、胴体から左右に傾斜して迫り出す部分８ｇの吊り部を拡幅できるので、挿入する日めくりや月表紙群の厚みに応じた吊り幅を持つリングが設けられて、１３枚綴・年度末用の１５月カレンダー・日めくり用３６５枚綴も可能となる。【００１４】〈７〉カレンダーリーフ及び広告リーフの入れ替え
本発明は、新規型バインダーである開閉機構のＨａｎｇ  Ｂｉｎｄｅｒを製造して台形型ベース頂上面に取り付けてＦｉｌｅ  Ｈａｎｇｅｒと称する新規型綴じ具の卓上用カレンダーリーフベースを提供するので、新年度版カレンダーとリーフレットを同梱配達できる。
ついては、登録意匠第１３４９８４２号にある広告付きカレンダーリーフをはじめ各種印刷物やシートの他、年末に入れ替える翌年度の新暦リーフの注文ハガキも綴じ込める。
更に、本発明の筆箱付きカレンダーは容器機能を有するので、筆記具や各種小物類を収納しリーフで覆い隠すことができる。即、該リーフベースは恒久的に有用な物品となる。【００１５】〈８〉リーフ詰め替えの新規ビジネス
以上を簡潔に述べると、従来のリング綴じ卓上カレンダーの紙製の三角形型リーフベースを使わずに、樹脂製台形型ベースを新規製造する。ついては、この台形空洞型ベース側壁の片面の中間部分を省く状態に形成して残る下部壁とベース側壁との溝の左右に壁を設けて器を製造する。又、リーフの綴じ具材に、吊り幅員が無い従来の○型リングを使わず、開閉自在の吊りスペース付き扇型リングを持つバインダーを新規製造する。よって、新規バインダーの開閉機構部位を新規ベース部位の頂上面に設けて容器付きリーフベースを製造するとカレンダー紙面の詰め替えが可能になり、ベースの機能・用途も拡大できる。
本発明製品を供することで、エンドユーザーは机やカウンター上の卓上カレンダー・各種リファイル・ペンケース・小物入れ等に有益であり、企業や商店は年末に配布する名入れカレンダーよりも広告宣伝内容をボリュームアップできるだけでなく、リーフの詰め替えを要するので顧客関係を長く維持することができる。更に、カレンダーリーフとともに同梱配布するチラシ又は上記登録意匠の広告付きカレンダーリーフを無償頒布することで、ネット通販やカタログ通販のように、登録商標カタログカレンダーを広告媒体とするカレンダー通販による、世にない革新的な製品とサービス及びビジネスモデルを提供する。
【図面の簡単な説明】
【００１６】
【図１】本発明の実施形態を示す立体台形型リーフベース容器を表す正面図。
【図２】上記リーフベース頂上面に設けた開閉機構の開姿勢リングを表す図。
【図３】上記リーフベース頂上面に設けた開閉機構の閉姿勢リングを表す図。
【図４】本発明の開閉機構付きＣａｌｅｎｄａｒ  Ｐｅｎ  Ｃａｓｅの側面図。
【図５】本発明の開閉機構付きＣａｌｅｎｄａｒ  Ｐｅｎ  Ｃａｓｅの上面図。
【図６】本発明のバインダー付き容器型卓上カレンダー／筆箱付きカレンダー製品。
【符号の説明】
【００１７】  ２ａ  立体台形型リーフベースの側壁
３ｂ  紙吊り下げ用リングの開閉機構
４ｃ  開閉機構胴体部鋼板のカバー蓋
５ｄ  リング
６ｅ  レバー
７ｆ  契合環
８ｇ  吊り幅スペース
９ｈ  跳ね板
１０ｋ  カレンダーリーフ
１１ｍ  囲い板
１２ｎ  軒板
１３ｗ  物品の出し入れ口
１４ｘ  容器
１５ｙ  文具類
【図１】
2011037251.tif 000003
【図２】
2011037251.tif 000004
【図３】
2011037251.tif 000005
【図４】
2011037251.tif 000006
【図５】
2011037251.tif 000007
【図６】
2011037251.tif 000008
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
複数の綴じ穴を持つカレンダーリーフや各種シート類を出し入れ自在に綴じることができて且つ、綴じたリーフ群が吊り下がる姿勢を保持することのできる、リングに綴じた用紙群を束ね吊れる幅員のスペース部位を持つバインダーを作製し、このバインダー部品を立体台形型の梯形に作製した台座ベース部品の頂上平面部位に備え設けた、そのバインダーの２本の契合環は上向きに開閉自在し、閉姿勢では傾斜するリングに綴じ吊った紙群が滑り落ちてベース壁面に安着する、リング開閉機構のバインダー、ファイルハンガー。
上記リングがファイルスペース幅員を有し、リーフを抜き差し自在に綴じれて壁面に寄せて吊り下げる機能を持っていることを特長とする、バインダー付き卓上リーフベース。
【請求項２】
立体型梯形にある台座の中を空洞にしたリーフベース体で、そのベース左右の空洞口の下半部分に塞ぎ囲む壁を設けた、さらに、このベースの片方の斜面側壁の中間部分を省き除いて、物品の出し入れ口を設けることで、そのベースを容器に形成した、ケース態様で収納機能を備え持つことを特長とする、請求項１記載のバインダー付きリーフベース装置並びに、このベース装置に孔付きカレンダーリーフ群を綴じて吊り下げることを特長とする、バインダー式容器型卓上カレンダー、バインダー式の筆箱付きカレンダー。
【請求項３】
複数の孔を持つカレンダー等のリーフ群及び、これを束ね綴じてぶら下げれる文具製品のリングバインダー金具を製造し、それらを支持する台座を製造してこのベース頂上に設けた、上記３製品が付け外し自在にある卓上カレンダーであって、本体ベースの容器部の構造は底蓋部品と上物部品を組み合わせたもので且つ、この２種類の樹脂成型品は分離・合体できる、底部を付け外し自在の構造で容器形成している。さらに、このベース壁面に商品やスポンサー企業商店団体を名入れ広告することを特長とする、請求項１記載のリーフベース、並びに、請求項２記載の容器型卓上カレンダーの名入れ筆箱付きカレンダー。
【手続補正２】
【補正対象書類名】明細書
【補正対象項目名】全文
【補正方法】変更
【補正の内容】
【発明の詳細な説明】
【技術分野】
【０００１】  本発明は、卓上カレンダーのリーフベース機構に関する。
【背景技術】
【０００２】  従来のリング綴じ型の卓上カレンダー製品は、カレンダーリーフとこれを支持する立体三角形型ベースの台紙及び、リーフ群を束ねるリング綴じ材の３部品が一体型に機械綴じで製本されるものであるから、１２枚の月表紙とベース部材と綴じ部材の商品寿命は１年間限りであって、年度末に、これらは全て分別もしくは一体で、廃棄される構造にある。従って、上記台紙のベース紙面に掲載している名入れ広告も、１年間限りで捨てられる。
【先行技術文献】
【特許文献】
【０００３】
【引用文献１】
特表平６−５０７５８２号公報
【引用文献２】
特開２００８−８９３号公報
【引用文献３】
特開２００８−１００３９０号公報
【発明の開示】
【発明が解決しょうとする課題】
【０００４】  前記した従来型のリング綴じ卓上カレンダーにあっては、次のような問題点がある。
〈１〉毎年度に卓上カレンダーの月表紙が捨てられるのは致し方ないが、その綴じ具と全  体を支えている三角形ベースの台紙までも廃棄されるのは、勿体ない。環境にも悪い。
〈２〉従来の卓上カレンダーの配布方法が有償又は無償であっても、毎年に廃棄される綴  じ具と台紙の材料費負担に加工や流通のコスト負担も、年度版毎に繰り返されている。
〈３〉従来のカレンダー製造は、例年８月頃が最盛期であるが、祝日変更や印刷変更もし  くは製本ミスが生じた場合に、リーフ交換できないので完成品を廃棄することになる。
〈４〉機械綴じのカレンダー製造は、少数量の製本は高単価で、製品の多様化も困難で、  これを有用な宣伝媒体とする場合に顧客ニーズで差別化するリーフ群の綴じが難しい。
〈５〉上記の課題解決方法を先行文献で調べると、特開２００８−８９３号の紙製リング  の綴じ手段は一部有用であるが、リーフ交換できずに廃棄されるので解決手段にならな  い。また、リーフ交換式を求めて従来型のファイルバインダーを採用すると問題を生じ  る。根拠は、本発明の物品とは用途も目的も異なるが、特表平６−５０７５８２号の不  可解な製品構造でも製造できたとすると、当バインダーが吊り部位の無い従来形の真円  型リングなので、用紙群が吊り下がらず、紙孔部分が折れ曲がって跡形を生じ、めくっ  た紙も反対側壁面に安着せずに跳ね上がる。更に、当筆記台バインダー内にある綴じ紙  の状態はＯＮ姿勢であるから、本発明のＨＡＮＧ姿勢を保証・担保するものではない。
〈６〉ユーザーとスポンサーは、カレンダーに対し斬新で有益な付加価値を求めている。
〈７〉台形ベース容器の製造は、構造的に射出成型機から金型の取り出しが困難である。
〈８〉捨てられない、永年に良好な顧客関係を保てるような、台座ベースが必要である。
【課題を解決するための手段】
【０００５】  上述の課題を解決する手段として、本発明は、卓上カレンダーを構成する孔付き月表リーフ及び、その用紙群を束ねて綴じ吊れる部材のバインダー並びに、これらを支持する台座である立体台形型ベース部材の３部品を個別に製造して、組み立てる物品を提供する。
上記のベース部材とは、中が空の空洞で立体型梯形にあって、その側壁斜面の片面中間壁部分を省いて、その左右口の下半部分を囲って容器形成したものである。ついては、その台形型ベースの下部が容器になり、ベースの正面と左右中間部分が物品の出し入れ口となるので、この容器上半部がフードになる状態に製造したものである。よって、この物品頂上平面部位に上記の綴じ部材であるバインダーを搭載する。従って、この台形型ベースの製造材では、金属又は樹脂製にすると堅牢性と耐久性を確保できる。又、このベース容器の成形方法は、底蓋部品とその上物部品の金型によって射出成型して組み立てたものであって、更に、そのベース壁面の前後左右部位に名入れ広告を掲載する手段で提供する。
上記の綴じ部材とは、綴じ穴を持つ月表紙やカタログ類の用紙群を綴じて吊り下げれる程のスペース幅を持つ２本の契合環が自在に開閉するリングを形成し、そこに綴じたリーフがベース壁面に自然に落ちて安定密着で吊り下がるよう、傾斜した吊り部位付きリングを有するバインダーのリング開閉機構を製造したもので、これを上記の台座ベース上に設置してリーフベース装置を形成し、これに孔付きカレンダーリーフを綴じ吊って筆箱付きカレンダーを供すると、毎年に新年度版の詰め替え紙のみを配布するだけで、前述した諸般の課題は解決できる。又、顧客が上記のカレンダーリーフを無料で求めるなら、該リーフ紙面を広告付きにする。例えば、特開２００８−６８６１０号の引用が好都合である。
【発明の効果】
【０００６】  本発明のファイルハンガー、リング開閉機構付きリーフベース装置による、名入れ筆箱付きカレンダーは、以上に説明した形態で実施され、以下に記載される効果を得られる。
〈１〉本発明の用紙詰め替え式リーフベースの提供は、従来型卓上カレンダーの綴じ具と  三角ベース台紙が製造不要となるので、課題であった使い捨てを止めることができる。
〈２〉カレンダーの提供方法が有償無償に拘わらず、毎年に廃棄される従来の三部品一体  型の製造コストは軽減され、毎年度のリーフ供給のみで卓上カレンダーを刷新できる。
〈３〉カレンダーの製品完成後に、印刷変更や綴じ物変更もしくは印刷や製本の丁合いに  ミスや間違いを発見しても、簡単にリーフ交換できるので完成品の廃棄を回避できる。
〈４〉綴じ具のリングを随意に開閉できるので、多種多様で低廉な完成品カレンダーを少  量でも提供できる。即ち、本品のスポンサーや利用者からの少量受注品も製造できる。
〈５〉カレンダーリーフやシート類を差し替えできるので、年度末にはベースを再利用し  使用済みリーフをも廃棄せずにメモや家計簿等のデータで永年に取り重ね保存できる。
〈６〉当リーフベースを企業商店が顧客に一度だけ提供すると、年末に翌年度暦リーフと  広告付きリーフを刷新供給することが可能で、長い顧客関係を維持することができる。
〈７〉ユーザーがこの開閉機構付き卓上カレンダーを一度だけ購入すると、年末はパソコ  ンを用いて翌年の新しい月表紙面に好みの写真等を掲載し、プリントアウトしてパンチ  で綴じ穴を設けると、当ベースによるオリジナル卓上カレンダーを作ることができる。
〈８〉また、立体台形型で中が空洞のリーフベースの空洞口の左右の下半部を塞ぐ構造に  することによって容器が形成されるので、小物入れ・筆箱・収納ケースに使用できる。
〈９〉樹脂製容器製造で、底部位の無い上物部分の射出成形製品は、重ね積みができる。
〈１０〉容器の底蓋部品にスポンサー名を印刷することで、多大なコストを削減できる。
【発明を実施するための形態】
【０００７】  以下図面を参照しながら、本発明の好適な実施の形態を詳細に説明する。
【実施例】
【０００８】〈１〉全体の構成
本発明のバインダー付き名入れ容器型卓上カレンダー（図７）を実施する形態は、台形型ベースの頂上面にリング開閉機構３ｂを取り付けたもの（図６）であって、そのリング部位はベース側壁面２ａ及び開閉機構の胴体カバー４ｃから左右に迫り出して傾斜させたものであって、吊り幅スペース８ｇを持つ２本の契合環７ｆで構成されている（図２）。
即ち、この２本の契合環が自在に離合することで開閉するリング型の綴じ具としたもので、複数のリングとその間隔に適合する穴を設けた孔付きカレンダーリーフを該リングに差し閉じて、吊り下げた状態での閉姿勢の特徴である扇型リング（図３）及び、このリーフベースに囲い壁１１ｍを設けた、容器付き卓上カレンダーベース（図５）を特長とする。
ついては、樹脂製台形型ベースの左右空洞口の下部分を塞いで、更に、台形型空洞状で傾斜しているベース側壁２ａの片面の中間の側壁部分を省き除いた形状の容器を射出成型することにより、その開口部位を物品等の出し入れ口１３ｗにできることを特長とする。
従って、この台形型容器の樹脂成型は１個の金型では取り出せないので、底蓋部位（図４）とその上物本体部位の金型を製造し、２個の部品に分けた射出成型品を組み立てたもので、この台形ベース壁面に名入れ広告を施し、その頂上面にはバインダーを設けた、リーフベース機構、ファイルハンガー、バインダー付きリーフベース容器（図１）である。【０００９】〈２〉リング開閉機構
リング開閉機構は、一般にリングファイルバインダーと称される文具であり、システム手帳やルーズリーフに用いてシートに支持され覆われている。その構造は、公知である。
従来型のバインダーとは、複数箇所に孔を持つ用紙群を保持するためのリング機構であり、用紙を出し入れする場合はリングを断割／分離した隙間から紙を挿入してから紙孔に通し、用紙が分散しないよう結束するために再びリングの係部で合体する機構である。
バインダー構造は、契合環と跳ね板を固着した２個の座金を合わせ噛ませて上から金属カバー板の蓋で包み掴んだ構造にある。従って、ＪＩＳ規格品を含めて全ての閉姿勢にあるリング形状は真円型、角型、だ円型、Ｄ型、変形Ｄ型にあって、ファイルを覆い包む形状にカバーシートで固着させ製品提供されている。よって、バインダーの閉リングを胴体の蓋の背幅より迫り出して製造する必要性は、正に本発明の新規型卓上カレンダーにある。【００１０】〈３〉用紙群を綴じ吊れる、吊りスペース幅員を有する、新規のリング開閉機構
本発明の紙吊り用のリング開閉機構は、２面の側壁２ａからなる台形ベースの頂上平面部に搭載したリング開閉機構３ｂがカシメ等で固着された状態で机上にデスクトップされてそびえ立ち、ベース上の機構のリング開口部が上に向いて左右に開閉する構造である。
リング開閉機構の内部は、複数の契合環７ｆを固着させた細長い２枚の跳ね板９ｈを噛み合わせて並行配置し、これらが空中分解しないように外壁部を胴体にした鋼板のカバー蓋４ｃで包み込む構造でもって機構全体を保持形成している。さらに詳細説明すると、閉姿勢でリング状となる２本の契合環７ｆは、上記カバー鋼板の背幅より左右に傾斜しながら迫り出して上方向に突出させ、その傾斜して迫り出たスペース８ｇは後述するカレンダー紙を吊り下げて安定密着させる手段のスペース幅員に確保した用紙群の厚さと等しい。又、閉じリングを片手で容易に開けれるよう、てこのレバー６ｅを設けるのが好ましい。
よって、契合環７ｆの接合で吊り下げ部位８ｇを持つ形状のリング５ｄが形成されるので、本発明のリング開閉機構によるリングの開姿勢（図２）及び閉姿勢（図３）を示す。【００１１】〈４〉ベース部品、台形ベース容器の構造
本発明の紙吊り用バインダーである金具を支持する台形型ベース部品の製造材質は、天頂部の開閉機構とリーフ群の荷重に耐え、且つ、製品の耐用年数も得る目的から金属又は樹脂製が好適である。この台形リーフベース製品は、卓上用のカレンダーリーフを狭い？デスク上に吊り立つ状態を保たせる道具であるから、ベース本体が前後に転倒しない程に底面部の面積を可能な限り小さくし、更に、ベースの頂上平面部の台座面の幅員数値及び、そこに設置するバインダーの胴体部にある鋼板カバー蓋４ｃの背幅数値は同等にする。
又、立体台形状の卓上カレンダーを収納容器／小物入れ／ペンケースに利用できる具に形成する手段では、ベース空洞口の下部分の左右を囲い板１１ｍで塞ぐ構造にすると器が形成されリーフベース容器にできる。よって、台形の下部が容器で上部左右に空いた口が物品の出し入れ口となるので、ベース壁斜面の片面を下部容器の高さに合わせて左右の開口部に至る迄の中間部分を取り除くと、容器正面と左右に便利で大きな開口部を得られる。開口部の上の軒板１２ｎ部位を可能な限り下げると段差によるリーフの湾曲を阻止できる。
また、２種類の射出成型品を組む容器製造では、底部分を着脱式にすると複数の台形本体部分を重ねて梱包できるので荷が縮小されて生産・流通・販売のコストを削減できる。
さらに、上記底蓋部品（図４）をＬ型に成型すると、名入れ広告の印刷が容易になる。【００１２】〈５〉台形ベース容器部品とリング開閉機構部品の接合
前述の立体台形型リーフベース容器と用紙吊り具のリング開閉機構を合体して、用紙群が壁面に安着し吊り下がる、リング開閉機構付きリーフベース容器（図１）を製造する。上記２体を固着する部材はネジでカシめると将来の分別資源回収や環境対策に好ましい。
本発明は、登録商標Ｈａｎｇ  Ｂｉｎｄｅｒと称する、吊り部を持つ新規型のバインダー３ｂを製造し上記ベース容器の頂上面に設けたもので、この合体製品をバインダー付きリーフベース、リーフベース装置、ベース機構、登録商標Ｆｉｌｅ  Ｈａｎｇｅｒと称する製品を供し、更に、これに容器機能と暦紙面を設けた製品のバインダー付きリーフベース容器、筆箱付きカレンダー、登録商標Ｃａｌｅｎｄａｒ  Ｐｅｎ  Ｃａｓｅと称して供する。【００１３】〈６〉バインダー付きリーフベースによる、バインダー式卓上カレンダーの製造
上記の紙吊り用リングを持つ開閉機構付きリーフベースをファイルハンガーと称し、これに容器部を持たせたベースをカレンダーペンケースと呼称する。ついては、この汎用綴じ具のリーフベース装置の製品を社会に広く供することで、将来の新年度版カレンダー紙の配布は、他の企業商店団体等によるオリジナルカレンダーリーフを挿入できるので、低廉且つ、少量多品種の商品提供要求課題に対応する、卓上カレンダー製造が可能である。
本発明の紙群吊り用契合環は、胴体から左右に傾斜して迫り出す部分８ｇの吊り部幅員を拡幅すると、挿入する日めくりや月表紙群の厚みに応じた吊り幅を持つリングが設けられて、１３枚綴・年度末用の１５月カレンダー・日めくり用３６５枚綴も可能となる。【００１４】〈７〉カレンダーリーフ及び、各種リーフレットの差し替え
本発明は、新規型バインダーの金具、登録商標Ｈａｎｇ  Ｂｉｎｄｅｒを製造して新規型台形ベース上に組み立てた綴じ具、登録商標Ｆｉｌｅ  Ｈａｎｇｅｒと称する新規型リーフベース製品を提供することで、毎年に新しいカレンダーリーフを配布することができる。
ついては、登録意匠第１３４９８４２号にある広告付きカレンダーリーフをはじめ各種印刷物やシートの他、年末に差し替える翌年度版カレンダーの注文ハガキも綴じ込める。
又、本発明の筆箱付きカレンダーが容器機能を持つので、筆記具や小物類が収まり、リーフに覆われて蓋することができるので、当リーフベースは恒久的に有用な物品となる。【００１５】〈８〉リーフ詰め替え式装置による、新規ビジネス
本発明の実施とビジネス形態を簡略に述べると、従来のリング綴じ卓上カレンダーの台紙ベースは不要で、樹脂製台形型ベースを新規製造する。ついては、この台形空洞型ベース斜面の片面中間部分を省き、物品の出し入れ口を設け、その下部分に容器を形成する。
この台形ベース容器は、底蓋とその上物の２種類を射出成型した部品を組み立てた品であって、その容器体の全壁面を活用し、広告主の名入れ広告及び、商品広告を掲載する。
リーフの綴じ具材は、吊り幅員の無い従来型バインダーを使わず、吊りスペースを有する長円又は、扇型リングのバインダーを新規製造し、上記新規ベース頂上面に設置する。
よって、新規バインダーを新規ベース部位の頂上面に設けた容器付きリーフベースを供することで、カレンダー紙の差し替えを可能にし、その機能や用途は、更に拡大できる。
本発明の製品提供では、カレンダーの用途以外に、エンドユーザーは机やカウンター上の書類のファイルや筆箱又は小物入れ等に便利であり、企業商店主は年末に配布する名入れカレンダーよりも広告宣伝内容をボリュームアップできるだけでなく、新年リーフの詰め替えを必要とする顧客との関係を長く維持することができる。即、カレンダーリーフと同梱配布するチラシや上記登録意匠の広告付きカレンダーリーフを無料頒布することで、カタログ通販やネット通販のように、例えば、登録商標カタログカレンダーを広告媒体にする、カレンダー通販のような、商品・情報・サービス等の販促ビジネスに利用できる。
【図面の簡単な説明】
【００１６】
【図１】本発明の実施形態を示す、リーフベース装置、ファイルハンガーの立体図。
【図２】開姿勢にある、リング開閉機構の側面図。
【図３】閉姿勢にある、リング開閉機構の側面図。
【図４】リーフベース容器を形成する、底蓋部品の斜視図。
【図５】リーフベース装置である、ファイルハンガーの側面図。
【図６】ベース容器上に設けた、リング開閉機構、ハングバインダーの上面図。
【図７】バインダー付き名入れ容器型卓上カレンダー、名入れ筆箱付きカレンダー。
【符号の説明】
【００１７】        ２ａ  立体台形型リーフベース装置の側壁斜面
３ｂ  紙吊り用バインダーのリング開閉機構
４ｃ  開閉機構胴体部鋼板のカバー蓋
５ｄ  開閉リング
６ｅ  レバー
７ｆ  契合環
８ｇ  吊り幅スペース
９ｈ  跳ね板
１０ｋ  カレンダーリーフ
１１ｍ  囲い壁
１２ｎ  フードの軒板
１３ｗ  物品の出し入れ口
１４ｘ  容器の底蓋
１５ｙ  小物や文房具類
１６ｚ  名入れ広告
【手続補正３】
【補正対象書類名】図面
【補正対象項目名】全図
【補正方法】変更
【補正の内容】
【図１】
2011037251.tif 000009
【図２】
2011037251.tif 000010
【図３】
2011037251.tif 000011
【図４】
2011037251.tif 000012
【図５】
2011037251.tif 000013
【図６】
2011037251.tif 000014
【図７】
2011037251.tif 000015
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
両側方が開放する側面視台形の台形筒状をなすベース部と、
前記ベース部の細長状の頂上面に沿って取り付けられたバインダーと、を備え、
前記バインダーは、
前記ベース部の前記頂上面に沿って、当該頂上面と略同一幅で取り付けられる細長状の胴体部と、
前記胴体部に取り付けられ上部が開閉可能な２本のリングと、を有しており、
前記２本のリングの各々は、閉じたときに前記胴体部からせり出して正面側及び背面側の上方に傾斜して伸びる直線状部分を有している卓上リーフベース。
【請求項２】
両側方が底面からある高さまでは閉じ、それより上部が開放した側面視台形の台形筒状体から、傾斜する正面壁のうち、前記ある高さからそれよりも高く頂上面よりも低い別の高さまでの範囲が、一側方から他側方にわたって切除されてなるベース部と、
前記ベース部の細長状の前記頂上面に沿って取り付けられたバインダーと、を備え、
前記バインダーは、
前記ベース部の前記頂上面に沿って、当該頂上面と略同一幅で取り付けられる細長状の胴体部と、
前記胴体部に取り付けられ上部が開閉可能な２本のリングと、を有しており、
前記２本のリングの各々は、閉じたときに前記胴体部からせり出して正面側及び背面側の上方に傾斜して伸びる直線状部分を有している卓上リーフベース。
【手続補正２】
【補正対象書類名】明細書
【補正対象項目名】全文
【補正方法】変更
【補正の内容】
【発明の詳細な説明】
【技術分野】
【０００１】
本発明は、卓上カレンダーに関するものである。
【背景技術】
【０００２】
従来のリング綴じ型の卓上カレンダー製造は、カレンダーリーフとこれを支持する立体三角形型ベース紙を１輪型リングまたはWリング等のワイヤーリング綴じ材でまとめて機械綴じする。ついては、１年分の１３枚リーフが天頂部で一体型に綴じ製本されている。
よって、この卓上カレンダーは年度を終えると分別又は一体に廃棄される構造である。即ち、従来製品より良い機能や用途を持つ新規製品とその製造手段の提供が求められる。
【先行技術文献】
【特許文献】
【０００３】
【特許文献１】特表平６−５０７５８２号公報
【特許文献２】特開２００８−８９３号公報
【特許文献３】特開２００８−１００３９０号公報
【発明の概要】
【発明が解決しようとする課題】
【０００４】
前記したような従来のリング卓上カレンダーにあっては、次のような問題点がある。
（１）毎年度に卓上カレンダーの月表紙が捨てられるのは致し方ないが、その綴じ具と全体を支えている三角形ベースの厚紙までも廃棄されるのは、勿体ない。環境にも悪い。
（２）従来の卓上カレンダーの提供が無償または有償であっても、廃棄される綴じ具と厚    紙の材料費の他に加工費や流通費用等のコスト負担がその都度毎年に加算されている。
（３）従来のカレンダー製造は、例年８月頃が最盛期であるが、祝日変更や印刷変更もし  くは製本ミスが生じた場合に、リーフ交換できないので完成品を廃棄することになる。
（４）機械綴じのカレンダー製造は、少数量の製本単価が高く、製品の多様化も困難で、  これを有用な広告用具とする場合に顧客ニーズで差別化するリーフ群の綴じが難しい。
（５）上記の課題解決方法を先行文献で調べると、特開２００８−８９３号の紙製リングの綴じ手段は一部有用であるが、リーフ交換できずに廃棄されるので解決手段にはならない。又、リーフ交換を求めて従来型のファイルバインダーを採用するにも問題がある。理由を示すと、特表平６−５０７５８２号の「バインダーを支持する装置」と称するバインダーは吊り部位の無い従来形の真円型リングなので、用紙群が吊り下がらず、紙孔部分が折れ曲がって跡形を生じ、めくった紙も反対側壁面に安着せずに跳ね上がる。
（６）机やカウンター上に散在する文具類と卓上カレンダーを一体化させる必要がある。
（７）ベースの堅牢化と製造単価削減を求める樹脂製一体型容器の製造で、台形状容器は射出成型機から金型の取り出しが困難であるから、有益な容器製造方法が課題となる。
【課題を解決するための手段】
【０００５】
上記の課題を解決するため、本発明の開閉機構付き卓上カレンダーでは、台形型のリーフベースを製造する。更に、この台形天頂部に複数の月表紙や広告を綴じて吊り下げれる程のスペース幅を持つ２本の契合環が自在に開閉するリングを形成し、そこに綴じたリーフが垂直に吊り下がるよう、閉姿勢にあるリング形状が開閉機構胴体部の背幅より左右方向に迫り出て傾斜する形状の吊り幅付きリングを持つ開閉機構を製造して設置する。即、リーフがベース壁側に自然に落ちて安定密着する開閉機構付きリーフベースを製造する。又、この台形型ベース製造材を金属又は樹脂製にすることで堅牢化と耐久性を確保する。
更に、卓上カレンダーのリーフベースの空洞の下部の溝口部の左右を塞ぐ囲い板を設けて容器化する。ついては、台形の下部が容器で上部左右が物品の出し入れ口となるので、側壁斜面の片面を器部の高さに合わせて中間壁部分を省く構造で開口部分を拡張する。
樹脂での射出成形では、容器の底部位と本体部位を個別に作り、組み合わせ製造する。
【発明の効果】
【０００６】
本発明の綴じ具製品 H a n g B i n d e r を用いた開閉機構付き卓上カレンダーのファイルハンガーは、以上に説明した形態で実施され、以下に記載される効果を得られる。
（１）本発明で、従来型卓上カレンダーの綴じ具と全体を支持する三角形ベース厚紙は製造されなくなり、課題であった使い捨てで勿体なく環境に良くないことが克服できる。
（２）カレンダーの提供方法が有償または無償でも、毎年に廃棄される従来の三部品一体型の製造コストは軽減され、毎年度のリーフ供給だけで卓上カレンダーを刷新できる。
（３）カレンダーの製品完成後に、印刷変更や内容物変更もしくは印刷や製本の丁合いにミスや間違いを発見しても、簡単にリーフ交換できるので完成品の廃棄を回避できる。
（４）綴じ具のリングを随意に開閉できるので、多種多様で低廉な完成品カレンダーを少量でも提供できる。即ち、本品の提供者又は愛用者からの少量受注製品も製造できる。
（５）カレンダーリーフやシート類を差し替えできるので、年度末にはベースだけでなく使用済みリーフをも廃棄せずにメモや家計簿等のデータを永年に取り重ね保存できる。
（６）当リーフベースを企業商店が顧客に一度だけ提供すると、年末に翌年度暦リーフと広告付きリーフを増設提供することが可能で、長い顧客関係を維持することができる。
（７）ユーザーがこの開閉機構付き卓上カレンダーを一度だけ購入すると、パソコンを用いて年末に翌年の新しい月表紙面に好みの写真等を掲載し、プリントアウトしてパンチで綴じ穴を設けると、当ベースによるオリジナル卓上カレンダーを作ることができる。
（８）更に、立体台形状のカレンダーリーフベースの空洞口の下部分の左右を塞ぐ構造にすることによって容器が形成されるので収納具・筆箱・ペンケースとして使用できる。
（９）樹脂製容器製造で、底部位の無い本体部分の射出成形製品は、重ね積みができる。
【図面の簡単な説明】
【０００７】
【図１】本発明の実施形態を示す立体台形型リーフベース容器を表す正面図。
【図２】上記リーフベース頂上面に設けた開閉機構の開姿勢リングを表す図。
【図３】上記リーフベース頂上面に設けた開閉機構の閉姿勢リングを表す図。
【図４】本発明の開閉機構付き C a l e n d a r P e n C a s e の側面図。
【図５】本発明の開閉機構付き C a l e n d a r P e n C a s e の上面図。
【図６】本発明のバインダー付き容器型卓上カレンダー／筆箱付きカレンダー製品。
【発明を実施するための形態】
【０００８】
以下図面を参照しながら本発明の好適な実施の形態を詳細に説明する。
【実施例】
【０００９】
（１）全体の構成
本発明の開閉機構付き容器型卓上カレンダー（図６）を構成している台形状リーフベースの側壁 2 a 上の開閉機構 3 b は、該ベース頂上平面部の位置に取り付けた（図５）リング開閉機構の胴体カバー 4 c から左右に迫り出し傾斜させた吊り幅スペース 8 g を持つ２本の契合環 7 f で構成されている
（図２）。即ち、この２本の契合環が自在に離合することで開閉するリング体を形成して綴じ具となり、複数のリングの数とその間隔に適合する孔の綴じ穴付きカレンダーリーフを上記リングに通し閉じて吊った閉姿勢の扇型リング（図３）及び、このリーフベースに囲い板11mを設けた容器付き卓上カレンダーベース（図４）を特徴とする。ついては、立体台形状の樹脂製ベースの左右空洞口の下部分を囲い壁で塞いで容器を形成し、台形型空洞状で傾斜しているベース側壁 2 a の片面の中間の側壁部分を取り除いて文具類の出し入れ口 13w を設けた、 C a l e n d a r P e n C a s e ／
筆箱付きカレンダーを製造した、開閉機構付きカレンダーリーフベース容器（図１）を特徴とする。
【００１０】
〈２〉リング開閉機構
リング開閉機構は、一般にリングファイルバインダーと称される文具であり、システム手帳やルーズリーフに用いてシートで支持され覆われている。その構造は、公知である。
ファイルバインダーとは、複数箇所に孔を持つ用紙群を保持するためのリング機構であり、用紙を出し入れする場合はリングを断割／分離した隙間から紙を挿入してから紙孔に通し、用紙が分散しないよう結束するために再びリングの係部で合体する機構である。
該バインダーは、契合環と跳ね板を固着した２個の座金を合わせ噛ませて上から金属カバー板の蓋で包み掴んだ構造である。さらに、  J I S 規格品をはじめ全ての閉姿勢にあるリング形状は真円型、角型、だ円型、D 型、変形D 型にあって、ファイルを覆い包む目的でカバーシートに固着させ製品提供されている。よって、バインダーの閉リングを金属蓋胴体の背幅より左右に迫り出す必要性やそれを吊り具用とした製品は過去に存在しない。
【００１１】
（３）紙吊り用具／ H a n g B i n d e r ／吊り下げ用リング開閉機構の構造
本発明の吊り下げ用リング開閉機構は、２面の側壁 2 a からなる台形ベースの頂上平面部に搭載したリング開閉機構 3 b がカシメ等で固着された状態で机上にデスクトップされてそびえ立ち、ベース上の機構のリング開口部が上に向いて左右に開閉する構造である。
リング開閉機構の内部は、複数の契合環 7 f を固着させた細長い２枚の跳ね板 9 h を噛み合わせて並行配置し、これらが空中分解しないように外壁部を胴体にした鋼板のカバー蓋 4 c で包み込む構造でもって機構全体を保持形成している。さらに詳細説明すると、閉姿勢でリング状となる２本の契合環 7 f は、上記カバー鋼板の背幅より左右に傾斜しながら迫り出して上方向に突出させ、その傾斜して迫り出たスペース 8 g は後述するカレンダー紙を吊り下げて安定密着させる手段のスペース幅員に確保した用紙群の厚さと等しい。又、閉じリングを片手で容易に開けれるよう、てこのレバー 6e を設けるのが好ましい。
ついては、契合環 7 f の接合で吊り下げ部位 8 g を持つ形状のリング 5 d が形成されるので、本発明のリング開閉機構によるリングの開姿勢（図２）および閉姿勢（図３）を示す。
【００１２】
（４）リーフベース及びリーフベース容器の構造
本発明の紙吊り用具／リング開閉機構を支持する立体台形型のベース部品製造材は、天頂部の開閉機構とリーフ群の荷重に耐え、且つ、製品の耐用年数も得る目的から金属又は樹脂製が好適である。この台形リーフベース製品は、卓上用のカレンダーリーフを狭い？デスク上に吊り立つ状態を保たせる道具であるから、ベース本体が転倒しない程度までに底面部の面積を可能な限り小さくする。又、ベースの頂上平面部の台座面の幅員の数値とそこに設置する開閉機構部材の胴体部にある鋼板カバー蓋 4 c の背幅数値は同等にする。
又、立体台形状の卓上カレンダーを収納容器／筆箱／ペンケースとして使用できる具に形成する手段では、ベース空洞口の下部分の左右を囲い板11mで塞ぐ構造にすると器が形成されてリーフベース容器となる。よって、台形の下部が容器で上部左右に空いた口が物品の出し入れ口となるので、ベース壁斜面の片面を下部容器の高さに合わせて左右の開口部に至る迄の中間部分を取り除くと、物入れ用具として便利で大きな開口部を得られる。開口部の上の軒板12 n部位を可能な限り下げると段差によるリーフの湾曲を阻止できる。
また、２種類の射出成型品を組む容器製造法で、底部分を着脱式にすると複数の台形本体部分を重ねて梱包することができるので、生産・配送作業での積荷容量を縮小できる。
【００１３】
（５）リング開閉機構と台形型リーフベース容器の接合
前述の紙吊り用具／開閉機構と立体台形型リーフベース容器を合体すると、用紙群を吊れるリングを持つ開閉機構付きリーフベース容器
（図１）が製造できる。上記２体を固着する部材はカシメではなく＋ネジで接合すると将来の分別資源回収や環境対策に好ましい。
本発明は、登録商標 H a n g B i n d e r と命名した吊り部を持つ新規型バインダー3 b を製造して上記リーフベース容器の頂上面に設ける。よって、この合体製品を文具である登録商標 C a l e n d a r P e n C a s e と命名して卓上リーフベースを提供する。
【００１４】
（６）新規バインダー付きリーフベースによるカレンダー製造
上記の紙吊り用リングを持つ開閉機構付きリーフベースをファイルハンガーと称し、これに容器部を持たせたベースをカレンダーペンケースと呼称する。ついては、このリーフベース製品を汎用綴じ具に供することで、卓上カレンダーを構成する新年度版暦のリーフ群に個々の企業商店団体等又は国や地域別のオリジナル月表紙面を挿入できるので、低廉で少量多品種の商品提供要求課題に対応できる製品の卓上カレンダー製造が可能になる。
本発明の吊り下げ用契合環は、胴体から左右に傾斜して迫り出す部分 8g の吊り部を拡幅できるので、挿入する日めくりや月表紙群の厚みに応じた吊り幅を持つリングが設けられて、１３枚綴・年度末用の１５月カレンダー・日めくり用３６５枚綴も可能となる。
【００１５】
（７）カレンダーリーフ及び広告リーフの入れ替え
本発明は、新規型バインダーである開閉機構の H a n g B i n d e r を製造して台形型ベース頂上面に取り付けて F i l e H a n g e r と称する新規型綴じ具の卓上用カレンダーリーフベースを提供するので、新年度版カレンダーとリーフレットを同梱配達できる。
ついては、登録意匠第１３４９８４２号にある広告付きカレンダーリーフをはじめ各種印刷物やシートの他、年末に入れ替える翌年度の新暦リーフの注文ハガキも綴じ込める。
更に、本発明の筆箱付きカレンダーは容器機能を有するので、筆記具や各種小物類を収納しリーフで覆い隠すことができる。即、該リーフベースは恒久的に有用な物品となる。
【００１６】
（８）リーフ詰め替えの新規ビジネス
以上を簡潔に述べると、従来のリング綴じ卓上カレンダーの紙製の三角形型リーフベースを使わずに、樹脂製台形型ベースを新規製造する。ついては、この台形空洞型ベース側壁の片面の中間部分を省く状態に形成して残る下部壁とベース側壁との溝の左右に壁を設けて器を製造する。又、リーフの綴じ具材に、吊り幅員が無い従来の○型リングを使わず、開閉自在の吊りスペース付き扇型リングを持つバインダーを新規製造する。よって、新規バインダーの開閉機構部位を新規ベース部位の頂上面に設けて容器付きリーフベースを製造するとカレンダー紙面の詰め替えが可能になり、ベースの機能・用途も拡大できる。
本発明製品を供することで、エンドユーザーは机やカウンター上の卓上カレンダー・各種リファイル・ペンケース・小物入れ等に有益であり、企業や商店は年末に配布する名入れカレンダーよりも広告宣伝内容をボリュームアップできるだけでなく、リーフの詰め替えを要するので顧客関係を長く維持することができる。更に、カレンダーリーフとともに同梱配布するチラシ又は上記登録意匠の広告付きカレンダーリーフを無償頒布することで、ネット通販やカタログ通販のように、登録商標カタログカレンダーを広告媒体とするカレンダー通販による、世にない革新的な製品とサービス及びビジネスモデルを提供する。
【００１７】
本願発明の一態様に、以下のものを含めることができる。
（態様１）  複数の綴じ穴付きカレンダーリーフとその綴じ具であるリング開閉機構部及びこの開閉機構を取り付ける立体台形型ベース部の３部材で構成する卓上カレンダーであって、用紙群を吊れるスペース幅を備えた２本の契合環が開閉自在作用する装置のリング開閉機構を製造してこの台形ベースの頂上平面部位に固着した製品。ついては、用紙吊り部位を備えたリングを複数に持つ開閉機構であるバインダーの機構胴体部枠と同等サイズの頂上面枠を有する金属又は樹脂製台形型ベースの頂上面に載せて接合した、リーフベースの製造。
即ち、台形ベース頂上面と側壁面との角辺から迫り出して傾斜する姿勢の扇型リングを保持している開閉機構の用紙吊り下げスペース部位を持つバインダー／
Ｈａｎｇ  Ｂｉｎｄｅｒを製造して該ベース頂上面に取り付けた、リーフベース／
Ｆｉｌｅ  Ｈａｎｇｅｒの製造並びに、毎年の新旧の月表リーフを交換して刷新できるよう該リングの形状数に合致する綴じ穴を設けた詰め替え用カレンダー紙の孔付きカレンダーリーフを供する、開閉機構付き卓上カレンダーの製造。
【００１８】
（態様２）  カレンダーリーフを支持している上記態様１、記載のリング開閉機構付きリーフベース体に容器機能を設ける手段として、立体台形空洞型の傾斜状ベース側壁の片方面の中間壁部分を取り除いて物品の出し入れ口を設けるとともに、空洞の下部溝の左右口部分を囲い板で塞いでペンケース態様となる容器を形成する手法でリングファイルバインダー付きペンケース体にした、リーフベース容器の製造。この容器型リーフベースのリングには月表紙や各種シートを綴じて吊り下げる、容器内には文房具類を収納する、開閉機構付き容器型卓上カレンダー／
Ｃａｌｅｎｄａｒ  Ｐｅｎ  Ｃａｓｅ／ 筆箱付き卓上カレンダーの製造。
【００１９】
（態様３）  開閉機構部品と樹脂製ベース部品で構成されるリーフベースの台形状容器を射出成型機で製造する手段として、ベース容器を構成する底蓋部位とカシメ孔付き台形状本体部位の２種類の金型を製造して底部位と本体部位を個別に射出成形する。よって、この本体部分が請求項１、記載のバインダー付きリーフベースを形成する部材となる。更には、上記の２個の樹脂成型品を組み合わせる方法で容器形成して上記態様２、記載の筆箱付き卓上カレンダーのリーフベース容器を製造。ついては、上記リーフベース部品の樹脂壁面に提供スポンサー企業商店名を刻印表示して供する、名入れカレンダーリーフベースの製造方法。
【符号の説明】
【００２０】
2 a  立体台形型リーフベースの側壁
3 b  紙吊り下げ用リングの開閉機構
4 c  開閉機構胴体部鋼板のカバー蓋
5 d  リング
6 e  レバー
7 f  契合環
8 g  吊り幅スペース
9 h  跳ね板
10 k  カレンダーリーフ
11m  囲い板
12 n  軒板
13w  物品の出し入れ口
14 x  容器
15 y  文具類
【手続補正３】
【補正対象書類名】図面
【補正対象項目名】全図
【補正方法】変更
【補正の内容】
【図１】
2011037251.tif 000016
【図２】
2011037251.tif 000017
【図３】
2011037251.tif 000018
【図４】
2011037251.tif 000019
【図５】
2011037251.tif 000020
【図６】
2011037251.tif 000021